(57)【要約】【課題】輝度の調節が可能な高輝度放電安定器の提供。【解決手段】主に座体、放熱フィン、回路板、出力端及び電源入力端から構成され、前記座体片側に複数の前記放熱フィンが設けられ、別の箇所に前記出力端及び電源入力端が設置され、前記出力端内に導通端子が設けられ、前記電源入力端内部に三端接続端子が設置され、その一端が正極、別の一端が負極、さらに別の一端が電力切換端子であり、さらに座体内部に前記回路板が組み込まれ、この回路板上に制御部材が設置され、制御スイッチを介して前記電力切換端子負極端子に接続され、ワット数を調整することができることを特徴とする。【選択図】図３
0003128600.tif 000002
【実用新案登録請求の範囲】
【請求項１】
座体、放熱フィン、挿入孔出力端、電源入力端及び固定片回路板から構成され、そのうち、前記座体の一箇所に前記放熱フィンが設置され、さらに側縁部に固定片が設けられ、且つ別の一箇所に前記挿入孔出力端及び前記電源入力端が設けられ、そのうち前記挿入孔出力端が高輝度放電ランプに対応し、且つ、前記座体内部に前記回路板が設置され、そのうち前記回路板の制御部材が電源入力端の接続端子を制御し、前記電源入力端内に三端接続端子が設置され、そのうち、前記三端接続端子の一端が正極、別の一端が負極、さらに別の一端が電力切換端子であり、そのうち前記電力切換端子が回路板の制御部材により制御され、且つ制御スイッチを介し前記負極に接続されて任意で前記ＨＩＤランプのワット数を調整するために用いられることを特徴とする、輝度の調節が可能な高輝度放電安定器。    
【請求項２】
前記電源入力端の複数の接続端子が交換器の複数の差込口と相互に対応し、そのうち、前記接続端子を三端または三端以上に設けることが可能である、請求項１に記載の輝度の調節が可能な高輝度放電安定器。
【請求項３】
前記安定器の放熱が複数の放熱フィンを用いて行なわれる、請求項１に記載の輝度の調節が可能な高輝度放電安定器。     
【請求項４】
前記安定器に設けた前記固定片上の小孔を用いて板体上にネジで固定することができる、請求項１に記載の輝度の調節が可能な高輝度放電安定器。
【考案の詳細な説明】
【技術分野】
【０００１】
本考案は輝度の調節が可能なＨＩＤ（Ｈｉｇｈ  Ｉｎｔｅｎｓｉｔｙ  Ｄｉｓｃｈａｒｇｅ：高輝度放電）安定器に関し、詳細には、座体上の電源入力端内に三端接続端子が設けられ、その正極及び負極が三端接続端子の二端を成し、電力切換端子が別の一端を成すと共に、制御スイッチの二端が正極及び負極に接続され、別の一端が電力切換端子に接続され、電力切換端子と座体内の回路板上の制御部材が相互に対応し、これにより制御スイッチを介してＨＩＤ（Ｈｉｇｈ  Ｉｎｔｅｎｓｉｔｙ  Ｄｉｓｃｈａｒｇｅ：高輝度放電）の輝度を調整することができる、輝度の調節が可能な高輝度放電安定器に関する。
【背景技術】
【０００２】
一般的な従来のＨＩＤ（Ｈｉｇｈ  Ｉｎｔｅｎｓｉｔｙ  Ｄｉｓｃｈａｒｇｅ：高輝度放電）安定器Ａは、図１及び図２に示すように、本体Ａ１、挿入孔Ａ２、導通端子Ａ３及び回路板Ａ４から構成される。
【０００３】
本体Ａ１は上本体Ａ６及び下本体Ａ７から構成され、そのうち、上本体Ａ６に挿入孔Ａ２が設けられ、またこの挿入孔Ａ２内部に２つの導通端子Ａ３が設置され、これら２つの導通端子Ａ３のうち一つの導通端子Ａ３を正極とし、他方の導通端子Ａ３を負極とすると共に、下本体Ａ７内に回路板Ａ４が設置され、この回路板Ａ４に一定のワット数が設定される。これにより、２つの導通端子Ａ３が回路板Ａ４の一定のワット数でＨＩＤランプＡ５に発光させることができるが、使用者がＨＩＤランプＡ５のワット数を交換する必要がある場合、安定器Ａを交換しなければならず、資源の無駄を招き、且つ利便性に欠ける。
【０００４】
このため、上述の問題をいかに排除するかが本考案の解決する技術的問題点である。
【考案の開示】
【考案が解決しようとする課題】
【０００５】
本考案の目的は、輝度の調節が可能なＨＩＤ安定器を提供することにある。      
【課題を解決するための手段】
【０００６】
以下、本考案について図面、符号及び実施例に基づき詳細に説明する。本考案の輝度の調節が可能なＨＩＤ（Ｈｉｇｈ  Ｉｎｔｅｎｓｉｔｙ  Ｄｉｓｃｈａｒｇｅ：高輝度放電）安定器Ｂは、図３及び図４に示すように、座体Ｃ、放熱フィンＦ、回路板Ｇ、出力端Ｅ及び電源入力端Ｄから構成される。
【０００７】
座体Ｃは上座体Ｃ１及び下座体Ｃ２から構成され、そのうち、上座体Ｃ１は片側に複数の放熱フィンＦが設けられ、別の箇所に出力端Ｅ及び電源入力端Ｄが設置され、そのうち、出力端Ｅ内に導通端子Ｅ１が設けられ、また電源入力端Ｄ内部に三端接続端子Ｄ１が設置されると共に、電源入力端Ｄの側縁部に逆さフック部Ｄ２が設けられる。さらに下座体Ｃ２の側縁部に固定片Ｃ３が設置され、そのうち、固定片Ｃ３上に小孔Ｃ４が形成され、下座体Ｃ２の内部には回路板Ｇが組み込まれ、この回路板Ｇ上に制御部材Ｇ１が設置され、この制御部材Ｇ１はワット数を切り換えるために用いられる。
【０００８】
電源入力端Ｄはその内部に三端または三端以上を含む接続端子Ｄ１を備え、この三端接続端子Ｄ１の一端を正極、別の一端を負極、さらに別の一端を電力切換端子とすることを特徴とする。この電力切換端子は制御スイッチを介して負極端子に接続され、ワット数の調整に用いることができることを特徴とする。
【０００９】
上座体Ｃ１上の放熱フィンＦは１つまたは１つ以上を含むことができ、放熱フィンＦは安定器Ｂの放熱に用いられ、この放熱フィンＦの設置により、使用時の過熱で安定器Ｂが焼き付き破損するのを防ぐことができる。
【考案の効果】
【００１０】
本考案の進歩性と実用性をよりはっきりと示すため、以下従来品と比較して分析する。
《従来品の欠点》
1.      
ＨＩＤ安定器は一定のワット数を供給するのみであり、別のワット数に変えたい場合は、安定器を取り外して交換するしかなく、この動作は面倒である。
2.      
第一点を受けて、資源の無駄となり環境保護性を備えていない。
《本考案の利点》
1.  制御スイッチが制御部材に対応することでHIDのワット数を調整できる。
2.  第一点を受けて、利便性を備えている。
3.  コストを節約でき、環境保護性を備えている。
4.  進歩性と実用性を備えている。
5.  産業的競争力を向上できる。        
【考案を実施するための最良の形態】
【００１１】
本考案の実施方法に基づく輝度の調節が可能なＨＩＤ（Ｈｉｇｈ  Ｉｎｔｅｎｓｉｔｙ  Ｄｉｓｃｈａｒｇｅ：高輝度放電）安定器Ｂを図４、図５、図６に示す。
【００１２】
このＨＩＤ（Ｈｉｇｈ  Ｉｎｔｅｎｓｉｔｙ  Ｄｉｓｃｈａｒｇｅ：高輝度放電）ランプＨ２は、回路板Ｇに設計されたワット数で発光し、この回路板Ｇ上の制御部材Ｇ１がワット数の調整に用いられる。使用者が制御スイッチＩ２を調整するとき、この制御スイッチＩ２は交換器Ｉと座体Ｃ上の接続端子Ｄ１を介し、さらに回路板Ｇ上の制御部材Ｇ１に対応して、隨意にＨＩＤランプＨ２のワット数を調整することができる。
【００１３】
座体Ｃ上の電源入力端Ｄ内には三端接続端子Ｄ１が設けられ、この三端接続端子Ｄ１の一端が正極、別の一端が負極、さらに別の一端が電力切換端子であり、そのうち、制御スイッチＩ２の三端が交換器Ｉを介して個別に接続端子Ｄ１の正極、負極及び電力切換端子に接続され、さらに切換端子が回路板Ｇの制御部材Ｇ１へ延伸され、これによりＨＩＤランプＨ２のワット数を調整することができる。
【００１４】
座体Ｃ上の出力端Ｅは１つまたは１つ以上の導通端子Ｅ１が設けられ、この出力端Ｅは導通装置Ｈ上の対接端Ｈ１に対応し、そのうち導通装置Ｈは片側が延伸されＨＩＤランプＨ２が設置され、他方の側が延伸されて嵌合部Ｈ３が設けられ、この嵌合部Ｈ３に複数の導通端子Ｅ１に相対する複数の対接端Ｈ１が設けられる。
【００１５】
交換器Ｉは一端に電源入力端Ｄに相対する相對の対接部Ｉ１が設けられ、且つ、他端が延伸され制御スイッチＩ２が設置され、交換器Ｉの片側に電源入力端Ｄの逆さフック部Ｄ２と相互に嵌合されるフック部Ｉ３が設けられ、交換器Ｉ上にはさらに防水用のパッキンリングＩ４が設けられる。
【００１６】
以上で述べた説明は本考案の最良の実施例に基づくものであり、本考案の特許範囲を制限するものではなく、本考案の明細書及び図面の内容を運用した同等の構造を直接または間接的にその他関連技術分野に運用したものはすべて本考案の要旨の範囲内に含まれるものと見なす。
【００１７】
上述のように、本考案は従来技術を打破する構造の下、その目的とする効果を確実に得ることができ、且つ、関連技術を熟知した者が簡単に思い付くものではない。さらに、本考案はその出願前に公開されたことがなく、進歩性と実用性を備えており、実用新案登録出願の要件を満たしているため、法に基づきここに実用新案登録を出願するものである。
【図面の簡単な説明】
【００１８】
【図１】従来品の立体図である。
【図２】従来品の立体分解図である。
【図３】本考案の立体図である。
【図４】本考案の立体分解図である。
【図５】本考案の実施状態を示す立体図である。
【図６】本考案の組み立て後の実施状態を示す立体図である。
【符号の説明】
【００１９】
Ａ      安定器    
Ａ１      本体        
Ａ２      挿入孔
Ａ３、Ｅ１    導通端子
Ａ４、Ｇ    回路板
Ａ５、Ｈ２    ＨＩＤランプ
Ａ６      上本体
Ａ７      下本体
Ｂ        安定器
Ｃ        座体
Ｃ１      上座体
Ｃ２      下座体
Ｃ３      固定片
Ｃ４      小孔
Ｄ        電源入力端
Ｄ１      接続端子
Ｄ２      逆さフック部
Ｅ        出力端
Ｆ        放熱フィン
Ｇ１      制御部材
Ｈ        導通装置
Ｈ１      対接端
Ｈ３      嵌合部
Ｉ        交換器
Ｉ１      対接部
Ｉ２      制御スイッチ
Ｉ３      フック部
Ｉ４      パッキンリング
【図１】
0003128600.tif 000003
【図２】
0003128600.tif 000004
【図３】
0003128600.tif 000005
【図４】
0003128600.tif 000006
【図５】
0003128600.tif 000007
【図６】
0003128600.tif 000008